(57)【要約】      （修正有）【課題】耐熱性を有し、かつ光軸の調整が可能な集光系を備えた光学測定装置と分光計測装置を提供する。【解決手段】高温環境下においても使用可能な集光系の構成材を全て耐熱性材料とし、高温での変形等を防ぐため、煽り調整用耐熱性ネジ６や煽り調整用耐熱性バネ８および耐熱性位置調整機構を備えている。【選択図】図１
2014202555.tif 000002
【特許請求の範囲】
【請求項１】
高温の測定体を対象とした光学測定装置において、高温体からの反射光もしくは散乱光を集光する集光系は少なくとも耐熱性レンズおよび耐熱性支持体を備えた耐熱性集光系であることを特徴とする光学測定装置。
【請求項２】
前記耐熱性レンズの構成材料を石英とし、石英の結晶転移温度である1100℃までの耐熱性を備えた耐熱性集光系を特徴とする請求項１記載の光学測定装置。
【請求項３】
前記耐熱性レンズの構成材料を酸化アルミとし、酸化アルミの融点である2000℃までの耐熱性を備えた耐熱集光系を特徴とする請求項１記載の光学測定装置。
【請求項４】
前記耐熱性支持体は、アルミナを主成分とする耐熱性セラミックもしくは耐熱性金属からなる耐熱性材料で構成され、2000℃以上の耐熱性を有する耐熱集光系を備えたことを特徴とする請求項１に記載の光学測定装置。
【請求項５】
前記耐熱性支持体は、前記耐熱性レンズを支持する耐熱性レンズ支持体と、前記耐熱性レンズの位置や煽り調整のため、耐熱性バネと耐熱性ネジと耐熱性ボール型支点とからなる該耐熱性レンズ支持体の位置煽り調整機構と、該位置煽り調整機構を支持する耐熱性支持体とからなることを特徴とする請求項１乃至請求項４のいずれか１項に記載の光学測定装置。
【請求項６】
請求項１乃至請求項５のいずれか１項に記載の耐熱性集光系を備えた光学測定装置において、集光系からの光を分光器へと導く光導入系を有し、その光導入系は偏光フィルター、特定の波長を持つ光を遮断するフィルター、高温体からの輻射熱を遮断するフィルターを備えており、それらを通過して来た光を分光するための分光器を備え、かつ光を検出する光検出器を備えた分光計測装置。
【発明の詳細な説明】
【技術分野】
【０００１】
本発明は、高温対象物を光測定可能な集光系を備えた光学測定装置、ならびに分光計測装置に関する。
【背景技術】
【０００２】
光測定は、対象物から放射される光をレンズで集光し、分光系へと導く必要がある。通常、第一レンズを対象物に近づけ、そこからの光を平行光にしたのち、第二レンズでその光を集光し分光器へと導く。対象物と第一レンズとの距離は、レンズの焦点距離や大きさにも依存するが20cm以内が一般的である。
【０００３】
通常、室温程度の環境下で測定する場合、レンズ材やそれを支える支持体の材質に特段の注意を支払う必要はない。しかしながら、対象物が高温の場合、集光系を20cm以内に設置すると、対象物からの輻射光（輻射熱）に曝されるため、集光系の温度上昇が問題となる。また完全に高温環境下に設置、例えば加熱炉の中に集光系を設置しなければならない場合、集光系に耐熱性を持たせることが必要となる。
【０００４】
一般的にレンズ材は、光学ガラスと呼ばれるBK7などで構成されており、支持体はアルミ合金などで構成されている。光学ガラスは400-600℃が軟化点、融点であるため、それ以上の温度に曝された場合、変形や溶融の恐れがある。支持体のアルミ合金の融点は600-700℃であるため、それ以上の温度に曝されると溶融してしまう。またアルミ合金は高温で酸化されるため、融点以下に曝されても、劣化や変形が生じる。
【０００５】
また、支持体とレンズには、レンズのあおり調整や位置調整のための機構が付属しているが、これらはネジとバネで構成されている。ネジやバネは金属であり高温下での使用を想定していない。従って、高温環境下で、これらの劣化も生じることになる。特許文献１では、高温体の光測定方法が提案されているが、集光系に耐熱性はない。特許文献２では高温体からの蛍光測定であるが、高温体からの輻射光を遮断する方法が主であり、耐熱性についての提案はない。
【先行技術文献】
【特許文献】
【０００６】
【特許文献１】特開１９９１−０７９３２４
【特許文献２】特開１９９０−０８０９２９
【発明の概要】
【発明が解決しようとする課題】
【０００７】
本発明の課題は、高温対象物からの光を計測する際、耐熱性に優れ高温下においても変質や変形が生じず、かつ位置や煽りといった調整機構を有した集光系を提供し、高温対象物の安定した分光計測を可能とするものである。
【課題を解決するための手段】
【０００８】
集光系を構成するレンズとその支持体の材料を耐熱性材料とし、かつレンズのあおり調整なども高温下で可能とするため、機構を構成するネジやバネといった構成物の材質も耐熱性とし、高温環境下においても安定した光学測定を可能とする集光系を提供するものである。
【０００９】
本発明は、次の（１）から（６）の手段を提供する。
（１）高温の測定体を対象とした光学測定装置において、高温体からの反射光もしくは散乱光を集光する集光系は少なくとも耐熱性レンズおよび耐熱性支持体を備えた耐熱性集光系であることを特徴とする光学測定装置。
【００１０】
（２）前記耐熱性レンズの構成材料を石英とし、石英の結晶転移温度である1100℃までの耐熱性を備えた耐熱性集光系を特徴とする（１）記載の光学測定装置。
【００１１】
（３）前記耐熱性レンズの構成材料を酸化アルミとし、酸化アルミの融点である2000℃までの耐熱性を備えた耐熱集光系を特徴とする（１）記載の光学測定装置。
【００１２】
（４）前記耐熱性支持体は、アルミナを主成分とする耐熱性セラミックもしくは耐熱性金属からなる耐熱性材料で構成され、2000℃以上の耐熱性を有する耐熱集光系を備えたことを特徴とする（１）に記載の光学測定装置。
【００１３】
（５）前記耐熱性支持体は、前記耐熱性レンズを支持する耐熱性レンズ支持体と、前記耐熱性レンズの位置や煽り調整のため、耐熱性バネと耐熱性ネジと耐熱性ボール型支点とからなる位置煽り調整機構と、該位置煽り調整機構を支持する耐熱性支持体とからなることを特徴とする（１）乃至（４）のいずれかに記載の光学測定装置。
【００１４】
（６）（１）乃至（５）のいずれかに記載の耐熱性集光系を備えた光学測定装置において、集光系からの光を分光器へと導く光導入系を有し、その光導入系は偏光フィルター、特定の波長を持つ光を遮断するフィルター、高温体からの輻射熱を遮断するフィルターを備えており、それらを通過して来た光を分光するための分光器を備え、かつ光を検出する光検出器を備えた分光計測装置。
【発明の効果】
【００１５】
以上のように、本発明は、高温対象物からの散乱光を測定するための、耐熱性を備えた集光系を提供するものである。高温対象物からの輻射熱や加熱炉中設置において、熱により変形や変質のない集光系である。
【図面の簡単な説明】
【００１６】
【図１】本発明による耐熱性を備えた集光系の断面図である。
【図２】本発明による耐熱性を備えた集光系の正面図である。
【図３】本発明による耐熱性を備えた集光系を用いた光学測定装置の例である。
【発明を実施するための形態】
【００１７】
本発明である集光系は大きくはレンズとレンズ以外の支持体からなり、その支持体はさらにレンズ支持体、煽り調整機構および平面移動機構（位置煽り調整機構）とその位置煽り調整機構の支持体からなり、全ての構成物が耐熱性を備えていることを特徴とする。
【実施例１】
【００１８】
集光系は、材料近辺に設置しなくてはならず、高温環境に曝される。そのため高温領域で耐熱性を保たれるよう、耐熱性材料で構成される。
【００１９】
すなわち、光学測定において散乱光測定は、材料からほぼ全方位に向けて放射されるため、散乱光の強度は材料からの距離の二乗に比例して減衰する。従って、可能な限り集光系を材料の近辺に置く必要があるからである。
【００２０】
集光系は、図１（断面図）や図２（正面図）に示すように主に対物レンズ、支持体５、支持体９により構成される。また位置や煽り調整のためのバネやネジからなる位置煽り調整機構を有している。対物レンズにより材料からの散乱光を集光し、平行光にして他の光学系に光を導く役割を担う。
【００２１】
レンズと支持体５，９は高温に耐えうる材料でなければならない。その上、レンズは散乱光の波長により可能な限り透明な材料が望まれる。たとえば、透過性を加味した上で、1000℃までの高温であれば石英製のレンズが使用可能である。1000℃以上であれば、フッ化マグネシウムやフッ化カルシウムなどのフッ化物が使用可能である。また2000℃近辺の温度では酸化アルミニウム（アルミナ）の使用が可能である。
【００２２】
支持体５，９は、耐熱性セラミック（アルミナが主成分）で作製される。安価で熱膨張率が小さいため、支持体には適している。また耐熱性のバネやネジを有し、高温内部でレンズの傾きや位置を調整可能とする機構を有している。
【００２３】
耐熱性のバネやネジは高融点金属でもよい。但し、高温環境下では、酸化による劣化が進むため、セラミック材料のネジやバネが望ましい。
【実施例２】
【００２４】
図３は、本発明である集光系２１を用いた散乱光測定システムの概要図である。集光系は加熱炉１３内に設置されている。対象物からの散乱光は集光系２１により、平行光とされ加熱炉の外に導かれる。その後、散乱光はレンズや光ファイバーを用いた導入系により、分光器および光検出器に導かれ、分光測定される。導入系の光路には、レイリー光遮断フィルター、偏光素子などといった各種フィルターを設置することが可能である。これは従来の測定では一般的な方法である。
また、本図では、集光系は加熱炉１３内に設置されているが、これに限定されるものではなく、加熱炉外あるいは加熱炉以外の高温環境下に設置してもよい。
【符号の説明】
【００２５】
１  高温測定体
２  耐熱性レンズ
３  耐熱性ボール型支点
４  Ｙ軸調整用耐熱性バネ
５  耐熱性レンズ支持体
６  煽り調整用耐熱性ネジ
７  Ｙ軸調整用耐熱性ネジ
８  煽り調整用耐熱性バネ
９  支持体
１０  平行光
１１  Ｘ軸調整用耐熱性ネジ
１２  Ｘ軸調整用耐熱性バネ
１３  加熱炉
１４  集光レンズ
１５  レーザー光
１６  レーザー光源
１７  光ファイバー
１８  平行化レンズ
１９  分光器
２０  光検出器
２１  集光系
【図１】
2014202555.tif 000003
【図２】
2014202555.tif 000004
【図３】
2014202555.tif 000005